Podtech/llm-jp-corpus-v4-ja_patent huggingface dataset:
(57)【要約】      （修正有）【課題】供給過剰のため、消費期限を過ぎ、食用に堪えず、飼料にも出来ない余剰米を木材伐りに活用した鉛筆の軸を提供する。【解決手段】２０〜６０％の廃棄米に対して、ＰＰ（ポリプロピレン）、オレフィン系ＰＳ（ポリスチレン）ＰＥＴ（ペット樹脂）等の合成樹脂原料をブレンドした素材を使用し、押出もしくは射出成形によって鉛筆軸を形成する。その際、１．１〜２．０倍で同素材を発泡させる。それにより、気体をはらんだセル構造を形成するため、切削性が上がり、使用材料も少なくすみ、また、軽量化にもつながる。【選択図】図１
0003158987.tif 000002
【実用新案登録請求の範囲】
【請求項１】
鉛筆の軸に、合成樹脂原料を配合した廃棄予定の米を使用することを特徴とするエコロジー鉛筆。
【考案の詳細な説明】
【技術分野】
【０００１】本考案は、エコロジー鉛筆に関するものである。
【背景技術】
【０００２】従来の鉛筆は天然木が広く使用されているが、腰の強さや削りやすさから適用される木材は限られており、中でも米国産のインセンスシダー等が多く使われている。
【考案の概要】
【考案が解決しようとする課題】
【０００３】一般的に鉛筆の軸は木材が使用されているが、環境保護が世界的な課題となっている今、環境破壊につながる森林資源の伐採は最小限に抑えられるべきである。【０００４】また、現在日本国内において米は供給過剰状態になっており、消費期限を過ぎたため、食用に堪えず、飼料にも出来ない余剰米が年々増加の一途をたどり、最終的には廃棄されている。この廃棄予定の余剰米、いわゆる廃棄米の有効利用が課題となっている。【０００５】そこで、本考案は鉛筆の軸に使用されている木材の代わりに、処分に困っている廃棄米を利用した代替軸を提供することを課題とする。
【課題を解決するための手段】
【０００６】以上の課題を解決するために、本考案は、従来鉛筆の軸として使用されている天然木材の代替素材として、合成樹脂原料を配合した廃棄米を利用することを特徴とする。
【考案を実施するための形態】
【０００７】２０〜６０％の廃棄米に対して、ＰＰ（ポリプロピレン）、オレフィン系  ＰＳ（ポリスチレン）、ＰＥＴ（ペット樹脂）等の合成樹脂原料をブレンドした素材を使用し、押出もしくは射出成形によって鉛筆軸を形成する。その際、１．１〜２．０倍で同素材を発泡させる。それにより、気体をはらんだセル構造を形成するため、切削性が上がり、使用材料も少なくすみ、また、軽量化にもつながる。
【０００８】この軸は、木軸に近い切削性を持ち、手動の鉛筆削り器はもちろんのこと、電動の鉛筆削り器でも削ることが出来、削りカスや削り跡も木軸のものに近く、仕上がりが綺麗である。
【考案の効果】
【０００９】本考案により、合成樹脂原料を配合した廃棄米を木軸の代替素材として使用でき、長期保管や処分に困っている廃棄米の有効利用となる上、鉛筆軸の木材利用のための森林伐採を減らすことが可能であり、環境保全に貢献することができる。
【００１０】本考案で使用した素材は廃棄米をブレンドしているため、焼却処分したとしても二酸化炭素の排出量が、合成樹脂原料のみで成形したものに比べて少ない。廃棄米のブレンド比率が２０％〜６０％とすると、通常の合成樹脂原料１００％を使用した場合に比べ、ＣＯ２の発生量を２０％〜６０％以下の範囲で削減できる。また、この素材には生分解性グレードもあり、これを使用した場合、上記性質の他に廃棄時に腐敗し土に返るという性質も持っており、地球環境に大変やさしい素材であると言える。
【図面の簡単な説明】
【００１１】
【図１】本考案で得られたエコロジー鉛筆の斜視図
【符号の説明】
【００１２】Ａ  鉛筆
１  廃棄米使用の軸
２  芯材
【図１】
0003158987.tif 000003
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
軸が合成樹脂原料を配合した廃棄予定の米からなり、黒鉛又はそれに代わる素材を芯材としたエコロジー鉛筆。
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
合成樹脂原料を配合した米で形成された軸と芯材からなる鉛筆。
(57)【要約】      （修正有）【課題】買い物袋を手の平で握った場合手の握力を補助する握力補助具を提供する。【解決手段】Ｔ字型のバンドに面ファスナーを取り付け、手首にバンドを取り付け手で握る事により握力を軽減する事が出来る。簡単な構造で片手で取り外す事が出来る。手首とマジックテープを取り付けたＴ字型バンドを組み合せた。【選択図】図１
0003158073.tif 000002
【実用新案登録請求の範囲】
【請求項１】
本考案の握力補助具は手首とマジックテープを利用した構造で買い物袋用に限る。
【考案の詳細な説明】
【技術分野】
【０００１】本考案は手首を利用し、手の平で握って物を吊り下げる時、握力を補助するバンドです。
【背景技術】
【０００２】買い物袋等を利用する人が多いい中、特に高齢者の握力の弱っている人が大変苦労している姿を見かけるので簡単な補助具の必要性を感じた。
【考案の概要】
【考案が解決しようとする課題】
【０００３】簡単に手首に取り付け取り外しができる事
製品構造が単純で安全面を考慮する事
【課題を解決するための手段】
【０００４】［図１］の様に手首を利用した握力補助具であります。簡単に片手で取り付ける事が出来る様にする為、［図３］のＴ字型のバンドにマジックテープを取り付ける、又［図３］の通り単純な構造の為多くの利点がある。安全面において手の指は自由に動かす事が出来る構造になっている。
【考案の効果】
【０００５】本考案の握力補助具を使用する事により、手の握力の弱い人も負担を軽減する事ができる。
【図面の簡単な説明】
【０００６】
【図１】本考案握力補助具を使用したときの状態
【図２】本考案握力補助具を手首に取り付けた状態
【図３】本考案握力補助具の表側
【図４】本考案握力補助具の裏側
【符号の説明】
【０００７】１．マジックテープ
２．バンド
３．表面
４．裏面
【図１】
0003158073.tif 000003
【図２】
0003158073.tif 000004
【図３】
0003158073.tif 000005
【図４】
0003158073.tif 000006
【手続補正書】
【提出日】平成21年12月18日(2009.12.18)
【手続補正１】
【補正対象書類名】実用新案登録請求の範囲
【補正対象項目名】全文
【補正方法】変更
【補正の内容】
【実用新案登録請求の範囲】
【請求項１】
握力補助具はＴ字型の形状をしたバンドに面ファスナーをＴ字型上部のバンドの表と裏の４ヶ所に取り付け両端をループさせ手首に固定しＴ字型下部の表面のバンドに面ファスナーを取り付けループさせる事により固定する買い物袋握力補助具。
【手続補正２】
【補正対象書類名】明細書
【補正対象項目名】０００４
【補正方法】変更
【補正の内容】
【０００４】［図１］の様に手首を利用した握力補助具であります。
簡単に片手で取り付ける事が出来る様にする為、［図３］のＴ字型のバンドに面ファスナーを取り付ける。
又［図３］の通り単純な構造の為多くの利点がある。安全面において手の指は自由に動かす事が出来る構造になっている。
【手続補正３】
【補正対象書類名】明細書
【補正対象項目名】０００７
【補正方法】変更
【補正の内容】
【０００７】  １．面ファスナー
２．バンド
３．表面
４．裏面
【手続補正４】
【補正対象書類名】図面
【補正対象項目名】図３
【補正方法】変更
【補正の内容】
【図３】
0003158073.tif 000007
(57)【要約】      （修正有）【課題】輸液状態を視認でき、輸液速度調整などが容易で、光劣化成分含有医療用輸液剤の輸液中における光分解を防止する輸液遮光具を提供する。【解決手段】可視光透過性の紫外線遮光樹脂製フィルム１に低粘着剤を設け、光劣化成分を含む輸液バッグ７と輸液チューブ８および輸液延長チューブ９等の輸液ラインを挟み込んで貼り合わせる。【選択図】図４
0003158079.tif 000002
【実用新案登録請求の範囲】
【請求項１】
可視光透過性の紫外線遮光性樹脂製フィルムに低粘着機能を施し、輸液中の光劣化成分を紫外線から保護する為に輸液バッグと輸液チューブおよび輸液ポンプ等の輸液ラインを容易に安全で確実に紫外線から遮光した輸液遮光具
【考案の詳細な説明】
【技術分野】
【０００１】  本考案は、可視光透過性の紫外線遮光性樹脂製フィルムに低粘着機能を施した、輸液の遮光具に関するものである。
【背景技術】
【０００２】  これまで輸液中の光劣化成分を紫外線から防護する場合、輸液バッグのみに紫外線遮光機能が備わった半透明の封筒状の樹脂製カバーを被せるのみであった。
【先行技術文献】
【特許文献】
【０００３】
【特許文献１】  特開平０７−１６３６３５号公報
【特許文献２】  特開２００３−２７５２８０号公報
【非特許文献】
【０００４】
【非特許文献１】「協和発酵キリン株式会社  ダカルバジン注用１００医薬品インタビューフォーム」，協和発酵キリン株式会社，２００８年１０月作成
【非特許文献２】「抗癌剤中央調剤によるダカルバジン投与時に血管痛を生じた２例」，臨皮  ６３：１００−１０２，２００９
【非特許文献３】「Ｄａｃａｒｂａｚｉｎｅの光分解によって生成する発痛物質の探索」，臨床薬理  ３２：１５−２２，２００１
【考案の概要】
【考案が解決しようとする課題】
【０００５】  紫外線遮光機能が備わった半透明の封筒状の樹脂製カバーを輸液バッグに被せるのみでは、カバーの開口部から紫外線の進入を防ぐことが出来ないばかりか輸液チューブ内の輸液剤を紫外線から防護できていなかった。【０００６】  抗癌剤であるダカルバジンは、紫外線による輸液中の分解が公知であり、また、該分解物の静脈投与による血管痛を発生することが分かっている。時に、その血管痛により、有効な医学的治療を受けられないことがある。【０００７】  従って、可視光透過性紫外線遮光フィルムで輸液中の輸液バッグと輸液チューブおよび輸液ポンプ等の輸液ライン全体を挟み込んで紫外線を遮光することにより、前述の欠点を解決しようとするものである。
【課題を解決するための手段】
【０００８】  本考案は、可視光透過性紫外線遮光フィルムに低粘着性機能を施し、輸液バッグと輸液チューブおよび輸液ポンプ等の形状とサイズが異なる輸液ライン全体に紫外線が照射されないように貼り合わせて装着することにより問題を解決している。
【考案の効果】
【０００９】  上述の様に、本考案の低粘着機能を施した可視光透過性の紫外線遮光フィルムで紫外線遮光できることは勿論、可視光透過性であるため、輸液ライン全体の輸液状況を視認でき、低粘着性であるため、装着と脱着を容易に繰り返せ、ダカルバジン等の光劣化性成分の輸液中における劣化を有効に防ぐことに役立つ。
【図面の簡単な説明】
【００１０】
【図１】本考案の構成要素である低粘着機能を施した可視光透過性で紫外線遮光性樹脂製フィルムの断面図である。
【図２】本考案に係る一実施形態を示す展開図である。
【図３】本考案に係る更に他の実施形態を示す展開図である。
【図４】本考案の一実施例を示す正面図である。
【考案を実施するための形態】
【００１１】  可視光透過性の紫外線遮光樹脂製フィルムは、紫外線遮光剤としてベンゾトリアゾール系化合物、ベンゾフェノン系化合物、サクシネート系化合物、トリアリールトリアジン系化合物、酸化チタン、酸化亜鉛などを塗布あるいは挟み込んだポリエチレン（ＰＥ）やポリエチレンテレフタレート（ＰＥＴ）およびポリプロピレン（ＰＰ）等を用いることができる。また、該フィルムでの片面に低粘着機能を施すことにより、容易に輸液ラインを挟んで貼り合わせ装着することを可能とする。また、該フィルムの厚さを３５μｍ以下とすることで、輸液ラインを包み込んだ後でも患者の動きに合わせて屈曲可能となる。
【実施例】
【００１２】  以下、添付図に従って一実施例を説明する。２は、可視光透過性の紫外線遮光樹脂製フィルム、３は、輸液ラインを挟んで保持するために該フィルムの片面に設けた低粘着剤で、この低粘着剤３により該フィルムによる輸液ラインを挟み込んで貼り合わせ装着と脱着を可能にする。【００１３】  本考案の一実施例は、上述の如き構成からなるものであるから、該フィルムを１枚４で用いることは勿論であるが、輸液ラインに組み込まれる医療機器のサイズに合わせて、該フィルムを分割５、６して用いることも可能である。
【符号の説明】
【００１４】  １  低粘着機能を施した可視光透過性で紫外線遮光性樹脂製フィルム
２  可視光透過性で紫外線遮光性樹脂製フィルム
３  低粘着性物質
４  単体型の低粘着性機能を施した可視光透過性で紫外線遮光性樹脂製フィルム
５  分割型の低粘着性機能を施した可視光透過性で紫外線遮光性樹脂製フィルムの大判
６  分割型の低粘着性機能を施した可視光透過性で紫外線遮光性樹脂製フィルムの小判
７  輸液バッグ本体
８  輸液チューブ本体
９  輸液延長チューブ本体
１０静脈内留置針本体
【図１】
0003158079.tif 000003
【図２】
0003158079.tif 000004
【図３】
0003158079.tif 000005
【図４】
0003158079.tif 000006
【手続補正書】
【提出日】平成21年12月15日(2009.12.15)
【手続補正１】
【補正対象書類名】実用新案登録請求の範囲
【補正対象項目名】全文
【補正方法】変更
【補正の内容】
【実用新案登録請求の範囲】
【請求項１】
可視光透過性の紫外線遮光性樹脂製フイルムに低粘着剤を設けることで低粘着機能を施し、輸液中の光劣化成分を紫外線から保護する為に輸液バッグと輸液チューブおよび輸液ポンプ等の輸液ラインを、上記紫外線遮光樹脂製フイルムで挟み込むで貼り合わせることにより、容易に安全で確実に紫外線から遮光した輸液遮光具。
(57)【要約】      （修正有）【課題】膝の痛みを和らげ、膝を保護するひざ用サポータを提供する。【解決手段】膝部を覆う弾力性を有するシート状の、ベルトと該ベルトの膝部に位置する部分に添木とからなるひざ用サポータであって、前記ベルトの両側には、該ベルトを膝部を覆った時互いに取り外し可能な連結手段を有し、前記添木は略中央部が膝の前方向に屈折可能である事を特徴とする。【選択図】図１
0003158075.tif 000002
【実用新案登録請求の範囲】
【請求項１】
膝部を覆うゴム、弾力性を有するシートなる、ベルトと該ベルトの膝部に位置する部分に添木とからなるひざ用サポータであって，前記ベルトの両側には、該ベルトを膝部を覆った時互いに取り外し可能、連結手段を有し前記添木は略中央部が膝の前方向に屈折可能である事を特徴とするひざ用サポータ
【請求項２】
前記添木は中央部が屈折から直線に回復し得る手段お設けたことを特徴とする請求項記載のひざ用サポータ。
【請求項３】
添木の連動を補助する紐状のゴムでベルトに固定し添木が直線に回復する事を補助したひざ用サポータ
【考案の詳細な説明】
【技術分野】
【０００１】本考案は膝の痛みを和らげ、膝を保護するひざ用サポータに関する、
【背景技術】
【０００２】弾力性の強い物質［ゴム性］のベルトにプラスチック製の、添木を付けた物に前開きで、強弱調節の出来る物
【先行技術文献】
【特許文献】
【０００３】
【特許文献１】柔軟性を保持ためか、ずり落ち．強く締めると耐えがたい苦痛を生じる
【特許文献２】添木はベルトの幅より１センチ、短い物を、二等分し二本の先端より、７ミリの所穴を開け膝の両側面の中心に当たるベルトの位置に軸付け交差させ、膝の屈伸に連動する
【特許文献３】交差点より１．５センチの所にゴム性の紐状の物で添木の前方より後方に掛けて後方でベルトに固定し膝を伸ばす補助をする
【非特許文献】
【０００４】
【非特許文献１】袋状のカバーに入れてベルト仕上げる
【非特許文献２】着け外しの可能なテープ（マジックテープ）で止める
【考案概要】
【考案が解決しようとする課題】
膝の痛みで歩行や階段の昇り，下りが楽にする事
【課題を解決するための手段】
添木の効果お生かす事
【考案の効果】
ひざの曲げ伸ばしが楽になり特に伸ばす時、装着効果が分かる、
【図面の簡単な説明】
【０００５】
【図１】平面図
【図２】着装図
【考案を実施例する為の形態】
膝の正面中心に着装する。
【実施例】着装した時効果を確かめられる
【産業上の可能性】
膝の支障の有る方多く広告次第
【符号の説明】１と１＠が添木とベルトを軸付け、２が添木の上下交点軸付け
３と３＠が添木とベルトをゴム紐固定
【図１】
0003158075.tif 000003
【図２】
0003158075.tif 000004
【手続補正書】
【提出日】平成21年12月22日(2009.12.22)
【手続補正１】
【補正対象書類名】明細書
【補正対象項目名】全文
【補正方法】変更
【補正の内容】
【考案の詳細な説明】
【技術分野】
【０００１】本考案は膝の痛みを和らげ、膝を保護するひざ用サポータに関する。
【背景技術】
【０００２】弾力性の強い物質［ゴム性］のベルトにプラスチック製の、添木を付けた物に前開きで、強弱調節の出来る物。
【考案概要】
柔軟性を保持のためか、ずり落ち強く締めると耐えがたい苦痛を生じる。
【０００３】添木はベルトの幅より１センチ、短い物を、二等分し二本の先端より、７ミリの  所穴を開け膝の両側面の中心に当たるベルトの位置に軸付け交差させ、膝の屈伸に連動する、交差点より１，５センチ、の所にゴム性の紐状の物で添木の前方より後方に掛けて後方でベルトに固定し膝お延ばす補助をする。
【０００４】袋状のカバーに入れてベルトを仕上げ、付け外しの可能な面ファスナーで止める。
【考案が解決しようとする課題】
【０００５】膝の痛みで歩行や階段の昇り，下りが楽にする事
【課題を解決するための手段】
【０００６】添木の効果お生かす事
【考案の効果】
【０００７】ひざの曲げ伸ばしが楽になり特に伸ばす時、装着効果が分かる、
【図面の簡単な説明】
【０００８】
【図１】平面図
【図２】着装図
【考案を実施例する為の形態】
【０００９】膝の正面中心に着装する
着装した時効果を確かめられる
【産業上の可能性】
【００１０】膝の支障の有る人が多く広告次第
【符号の説明】
【００１１】１と１＠が添木とベルトを軸付け、２が添木の上下交点軸付け  ３と３＠が添木とベルトをゴム紐固定
【手続補正２】
【補正対象書類名】実用新案登録請求の範囲
【補正対象項目名】全文
【補正方法】変更
【補正の内容】
【実用新案登録請求の範囲】
【請求項１】
膝部を覆うゴムから成る弾力性を有するシートから構成されたベルトと該ベルトの膝部に位置する部分に設けた添木とかなるひざ用サポータであって、前記ベルトの両側には、該ベルトの膝部を覆った、前部が重なる部分が互いに付け外し可能な、連結手段を有し前記添木は略中央部が、膝の前方向に屈折可能である事を特徴とするひざ用サポータ。
【請求項２】
前記添木は、中央部が屈折から直線に回復し得る手段を設けた事を特徴とする請求項１記載のひざ用サポータ。
【請求項３】
添木の連動を、補助する紐状のゴムでベルトに固定し添木が直線に回復する事を補助した請求項２に記載のひざ用サポータ。
(57)【要約】      （修正有）【課題】従来の間口の広い長方形タイプの飾り台は収納スペースの確保が必要となっていた。飾り台を二分割化し組み合わせることで、二枚一組に構成することにより、収納スペースを半分にすることを可能とする飾り台を提供する。【解決手段】凹の飾り台と、凸の飾り台に二分割し、組み合わせることで二枚一組の飾り台となる。しかしながら、互いの木の性質により互いが反りあった場合フラットな状態を保てなくなるので、十字の桟木７で互いの反りを防ぐ。【選択図】図２
0003158077.tif 000002
【実用新案登録請求の範囲】
【請求項１】
節句人形における木製飾り台を、凸凹の形、凸と凹に二分割し組み合わせることで二枚一組に構成された節句用二分割式飾り台。
【請求項２】
請求項１を基本に、形をかえ、Ｒのついた正方形と正方形に二分割し組み合わせることで二枚一組に構成された節句用二分割式飾り台。
【請求項３】
請求項１を基本に、形をかえ、正方形と正方形に二分割し組み合わせることで二枚一組に構成された節句用二分割式飾り台。
【考案の詳細な説明】
【技術分野】
【０００１】本考案は、節句人形における飾り台を二分割し、組み合わせることで二枚一組に構成された節句用二分割式飾り台に関するものである。
【背景技術】
【０００２】従来の飾り台は間口の広い長方形タイプのものが多く、収納スペースの確保が難しかった。
【考案の概要】
【考案が解決しようとする課題】
【０００３】間口の広い長方形タイプの飾り台は収納スペースの確保が必要となる。
よって、飾り台の二分割化は収納スペースを半分にすることが可能となる。
【課題を解決するための手段】
【０００４】節句人形における木製飾り台を、凸凹の形凸と凹に二分割し組み合わせることで二枚一組に構成された飾り台であり、また形を変えることによりさまざまな用途で楽しむことができる。しかし、通常一枚板のみの使用で二分割すると強度が弱くなり互いの反りなどが生じ、組み合わせの段階でフラットな状態を保てなくなる。
よって、一枚板の裏側に桟木で補強し、これらの問題を解消できる。
【考案の効果】
【０００５】二分割化された飾り台は、従来、節句における風習、縁起、伝統から二つに割れるということが敬遠されていたが、二分割のデザイン性を問うことで、逆に新しい感覚でとらえられることができる。無論、二分割化された飾り台により大きな飾り台の需要も増えてくる。近年、業界の課題とされてきた節句人形の小型化、飾り台の小型化の解消にもなる。また、二分割化された飾り台の半分のみの使用は、他の季節物の展示、例としてひな人形から五月人形まで一つの飾り台のみで展示することも可能となる。
【図面の簡単な説明】
【０００６】
【図１】本考案の節句用二分割式飾り台の一実施例を示す上面図である。
【図２】節句用二分割式飾り台の裏面図である。
【図３】図１を基本に形を変えた  本考案の節句用二分割式飾り台の一実施例を示す上面図である。
【図４】図２を基本に形を変えた  節句用二分割式飾り台の裏面図である。
【図５】図１を基本に形を変えた  本考案の節句用二分割式飾り台の一実施例を示す上面図である。
【図６】図２を基本に形を変えた  節句用二分割式飾り台の裏面図である。
【考案を実施するための形態】
【０００７】二分割化された飾り台は、木製の板と板を一つとして組み合わされることで互いに木本来の性質により、互いが反りなどの変化が生まれ、組み合わせの段階でフラットな状態を保てなくなる。よって、互いの板の裏側に桟木で補強し、安定感を出すことにより、これらを解消できる。
【実施例】
【０００８】以下、添付図面に従って一実施例を説明する。図面１から、１の凹の飾り台と２の凸の飾り台に二分割し、また組み合わせることで二枚一組の飾り台となる。
図面２から互いの木の性質により、互いが反りあった場合、フラットな状態を保てなくなるので、７の十字の桟木で補強し、互いの反りを防ぐ。【０００９】以下、添付図面に従って一実施例を説明する。図面１を基本とした、図面３から３のＲのついた正方形の飾り台と４のＲのついた正方形の飾り台に二分割しまた組み合わせることで二枚一組の飾り台となる。図２を基本とした、図面４から互いの木の性質により、互いが反りあった場合、フラットな状態を保てなくなるので７の十字の桟木で、互いの反りを防ぐ。【００１０】以下、添付図面に従って一実施例を説明する。図１を基本とした、図面５から５の正方形の飾り台と６の正方形の飾り台に二分割し、また組み合わせることで二枚一組の飾り台となる。図面２を基本とした、図面６から互いの木の性質により互いが反りあった場合、フラットな状態を保てなくなるので７の十字の桟木で互いの反りを防ぐ。
【符号の説明】
【００１１】  １  凹の飾り台
２  凸の飾り台
３  Ｒのついた正方形の飾り台
４  Ｒのついた正方形の飾り台
５  正方形の飾り台
６  正方形の飾り台
７  十字の桟木
【図１】
0003158077.tif 000003
【図２】
0003158077.tif 000004
【図３】
0003158077.tif 000005
【図４】
0003158077.tif 000006
【図５】
0003158077.tif 000007
【図６】
0003158077.tif 000008
【手続補正書】
【提出日】平成21年12月16日(2009.12.16)
【手続補正１】
【補正対象書類名】実用新案登録請求の範囲
【補正対象項目名】全文
【補正方法】変更
【補正の内容】
【実用新案登録請求の範囲】
【請求項１】
節句人形における木製飾り台を、凸と凹の形、凸と凹に二分割し組み合わせることで二枚一組に構成された節句用二分割式飾り台。
【請求項２】
節句人形における木製飾り台を、角を丸くとった正方形と同じく角を丸くとった正方形に二分割し、組み合わせることで二枚一組に構成された節句用二分割式飾り台。
【請求項３】
節句人形における木製飾り台を、正方形と同じく正方形に二分割し組み合わせることで二枚一組に構成された節句用二分割式飾り台。
(57)【要約】      （修正有）【課題】２分の１の長さを容易に求められる様に、１ミリ単位目盛りと２分の１ミリ単位の目盛り数字を付した巻尺、定規、物差などの計長器を提供する。【解決手段】計長器のスケール部の下面には１ミリ単位の目盛りを付し、スケール部の上面には２分の１ミリ単位の目盛り数字を付したことで、２分の１単位たる物の長さを容易に求められる。また逆に倍数単位たる物の長さも容易に求められる。計長の具体的な例として、測った長さのセンター（中心）を求めるには、実寸ミリ目盛りで測った長さが△１１センチ８ミリの場合、センター目盛りの同数▼１１．８がセンター（中心）になる。また倍数を求めるには、実寸ミリ目盛りで測った長さが△１１センチ８ミリの場合、同位置のセンター目盛り側の数字▼２３．６が倍数になる。【選択図】図１
0003158009.tif 000002
【実用新案登録請求の範囲】
【請求項１】
スケール部の上下面の一方に１ミリ単位の目盛りを付し、他方には２分の１ミリ単位の目盛り数字を付して成る計長器。
【考案の詳細な説明】
【技術分野】
【０００１】  本考案は、１ミリ単位目盛りと２分の１ミリ単位の目盛り数字を付した巻尺、定規、物差などの計長器に関するものである。
【背景技術】
【０００２】従来の計長器は１ミリ単位の目盛り又は尺目盛り数字のみしか付されていない。
【考案の概要】
【考案が解決しようとする課題】
【０００３】２分の１単位の長さたるセンター（中心）を必要とするとき、別途計算することなくこの計長器のみで容易に求めることができる。
また逆に倍数を必要とするときも同様に容易である。
【課題を解決するための手段】
【０００４】本考案は、計長器のスケール部の下面には従来のように、１ミリ単位の目盛りを付し、上面には２分の１ミリ単位の目盛り数字を付することにより問題点を解決している。
【考案の効果】
【０００５】本考案の計長器は、１ミリ単位の目盛りと、２分の１ミリ単位の目盛り数字を付したことで、使い勝手を良くしたものである。
【図面の簡単な説明】
【０００６】
【図１】  本考案の計長器の一部切欠した平面図である。
【図２】  本考案の別実施例の計長器の一部切欠した平面図である。
【考案を実施するための形態】
【０００７】計長器のスケール部の下面には１ミリ単位の目盛りを付し、スケール部の上面には２分の１ミリ単位の目盛り数字を付したことで、２分の１単位たる物の長さを容易に求められる。また逆に倍数単位たる物の長さも容易に求められる。
【実施例】
【０００８】以下、添付図面によって一実施例を説明する。１は計長器のスケール部にして、下面２には従来品と同様の１ミリ単位の目盛り数字を付し、上面３には２分の１ミリ単位の目盛り数字を付して成る。【０００９】本考案は上記の如き構成であるから、一個の計長器でもって１ミリ単位は勿論、２分の１ミリ単位の長さも容易に求められて便利である。【００１０】尚、スケール部の１ミリ単位と、２分の１ミリ単位の目盛り数字は、上下面を逆にしてもよい。又は上下面に１ミリ単位の目盛り数字を、その中間に２分の１ミリ単位の目盛数字を付してもよい。更には裏面に前記と同様の目盛り数字を付してもよい。【００１１】計長の具体的な例として、測った長さのセンター（中心）を求めるには図１に示す如く、実寸ミリ目盛りで測った長さが△１１センチ８ミリの場合、センター目盛りの同数▼１１．８がセンター（中心）になる。
また倍数を求めるには図２に示す如く、実寸ミリ目盛りで測った長さが△１１センチ８ミリの場合、同位置のセンター目盛り側の数字▼２３．６が倍数になる。
【符号の説明】
【００１２】１    スケール部
２    １ミリ単位の目盛り
３    ２分の１ミリ単位の目盛り数字
【図１】
0003158009.tif 000003
【図２】
0003158009.tif 000004
(57)【要約】      （修正有）【課題】男性が洋式トイレで小用する際、小水が飛散するのを防ぐ男性小用洋式トイレ衛生器具を提供する。【解決手段】断面が円形又は楕円形で細長く緩やかなカーブ状で、内外に凸凹状、歯形、波形等の加工がしてある深い切れ込みがあり、入り口は外側の方がやや長く自由に角度が変えられる吸盤のついた弾力性のある樹脂等で造られる。切れ込みにトイレットペーパーを差し入れて使用する。【選択図】図２
0003158002.tif 000002
【実用新案登録請求の範囲】
【請求項１】
断面が円形又は楕円形で細長く緩やかなカーブ状で、内外に凹凸状、歯形、波形等の加工がしてある深い切れ込みがあり、入り口は外側の方がやや長く自由に角度が変えられる吸盤のついた弾力性のある樹脂等で造られた形態を特徴とする男性小用洋式トイレ衛生器具。
【請求項２】
ヘアピンを大きくした形状で細長く緩やかなカーブ状で、内外に凹凸状、歯形、波形等の加工がしてあり、入り口は外側の方がやや長く自由に角度が変えられる吸盤のついたステンレス等金属で造られた形態を特徴とする男性小用洋式トイレ衛生器具。
【考案の詳細な説明】
【技術分野】
【０００１】本考案は男性が洋式トイレにて小用をする際、周囲へ飛散するのを防ぐ構造に関する。
【背景技術】
【０００２】従来から男性が洋式トイレで小用する際、便器の構造上どうしても少量が飛散し、床面を汚す結果となった。その為衛生上の問題や家族、特に女性から苦言を呈し肩身の狭い思いをしてきた男性も少なくない。近年の調査では約三割の男性が便座に座って小用をしているという結果が出ており、これからも増加の傾向にある。【０００３】また、飛散を防ぐ為に便座と下の台との間に扇子状のシートを設けて、便座を開け閉めする動きに合わせシートが開閉する内容の特許が提案されている。（特許文献１）【０００４】
【先行技術文献】
【特許文献】
【特許文献１】  特開２００６−２４７３０４号公報
【考案の概要】
【考案が解決しようとする課題】
【０００５】しかしながら、特許文献１記載の衛生器具では、小用をする際、確かに飛散防止シートが妨げとなって床面を汚す心配はなくなるが、シート自体が小水によって汚れてしまい衛生上良くない。また、シートが汚れる度に洗って再度利用することは、煩わしさの点から購買意欲を喚起するに至らない。【０００６】本考案は、あくまで利便性を重視し、同時に衛生的に使用できることを目的とする。
【課題を解決するための手段】
【０００７】本考案の構造は、深い切れ込みの入った細長い断面が円形又は楕円形の合成樹脂か、ステンレス等の金属で造られたもので、便座の裏に左右それぞれ１本ずつ吸盤によって吸着させて使うものである。
【考案の効果】
【０００８】本考案は、構造自体極めて単純な為、壊れにくく安価に提供が可能であり、使い方も簡単で子供にもすぐに慣れ、外観上便器に取り付けても違和感はなく、気持ちよく使用することができる。
【考案を実施するための形態】
【０００９】以下、本考案の衛生器具を図面に基づいて具体的に説明する。
【００１０】図１は、本考案の実施例を上部から見た図であり、便座の裏側左右に吸盤で吸着した状況を示している。また図では構造が分かりやすいように少し誇張して図面化している。
【００１１】本考案は便器との隙間を少なくして周囲へ飛散するのを防ぐ為、便座のカーブに合わせて緩やかに曲がった形状をしている。（図２、図３、図４）
【００１２】本考案の切れ込みの入り口（ａ）（ｂ）は、トイレットペーパーを入れ易くする為、外側（ａ）の方が（ｂ）より長く、切り口も含め、すべて表面は丸みを帯びた形状にする。
【００１３】切れ込みの形状は図１（ｃ）のように挟んだトイレットペーパーが落下しないように凹凸状、あるいは図３及び図４のように歯形状、波形状に加工する。
【００１４】特に、材質がステンレス等金属の場合は、ヘアピンのようにバネを利用してトイレットペーパーが落下しないようにする。（図３、図４）
【００１５】また、便器の種類によっては便座を開けた状態の裏面の角度が異なる為、図１（ｄ）のように吸盤と本体とは上下自由に動かすことができる構造とする。図３（ｄ）、図４（ｄ）も同じである。
【００１６】以下にその手順を説明する。
【００１７】利用者はまず、切り取ったトイレットペーパーを本考案の入口（ａ）（ｂ）から少し外側（ａ）を押し広げるように切れ込みの奥まで差し入れる。２枚目のトイレットペーパーを続いて差し入れる時も同じである。挟まれたトイレットペーパーは、切れ込みの凹凸や、歯形等の形状及びバネの力により便座を下に降ろしても落下することはない。
また小水でトイレットペーパーを汚しても手前に引っ張れば簡単に外れ、トイレの水と一緒に流してしまえば衛生的である。
そして本考案を便座に取り付ける高さを変える場合も吸盤の移動で簡単であり、高さに応じてトイレットペーパーを切りとって挟めばより広く小水の飛散を防止することもできる。
【図面の簡単な説明】
【００１８】
【図１】便座を上に開け、樹脂製の本考案を便座の裏面の両端に取り付けてある上から見た常態図。（ａ）は（ｂ）より長い。
【図２】樹脂製の本考案にトイレットペーパーを１枚挟んだ常態図。
【図３】ステンレス等の金属製の本考案にトイレットペーパーを落とさない為に歯形の加工がしてある常態図。
【図４】ステンレス等の金属製の本考案に片面が波形の加工がしてあり、トイレットペーパーを１枚挟んだ常態図。
【符号の説明】    １・・・・・・・・  男性小用洋式トイレ衛生器具本体
（ａ）・・・・・・・・  切れ込み入口の外側部分
（ｂ）・・・・・・・・  切れ込み入口の内側部分
（ｃ）・・・・・・・・  切れ込み内外の凹凸、歯形、波形の形状部分
（ｄ）・・・・・・・・  本考案を角度を変えて取り付ける為の吸盤の自在構造部分
２・・・・・・・・  便座の裏側
３・・・・・・・・  トイレットペーパー
【図１】
0003158002.tif 000003
【図２】
0003158002.tif 000004
【図３】
0003158002.tif 000005
【図４】
0003158002.tif 000006
(57)【要約】      （修正有）【課題】携帯電話を所持利用する事により発生し得る、振り込め詐欺や各種有害サイトへの接続トラブル等に対し、使用者への注意喚起と警戒意識を促す防犯媒体となる、カード付携帯電話ストラップを提供する。【解決手段】カード１の四隅付近に穴２を設け、穴２の任意の一つに、随時着脱可能なストラップ３を取り付ける。以上のような基本構造により構成される事を特徴とする。【選択図】図１
0003158004.tif 000002
【実用新案登録請求の範囲】
【請求項１】
カード（１）の四隅に穴（２）を設け、穴（２）の任意の一つに、ストラップ（３）を取り付けた、カード付携帯電話ストラップ。
【考案の詳細な説明】
【技術分野】
【０００１】  本考案は、カードの四隅に穴を設け、当該穴の任意の一つに、着脱可能なストラップを取り付けた、カード付携帯電話ストラップに関するものである。
【背景技術】
【０００２】  従来より、携帯電話ストラップは、落下防止や紛失防止等の携行利便機能以外の目的としては、専らアクセサリージャンルの一つとして認識され取り付けられている。
【考案の概要】
【考案が解決しようとする課題】
【０００３】  これには、次のような課題があった。
昨今、携帯電話を所持利用することは、同時に、振り込め詐欺や各種有害サイトへの接続等、老若男女を問わず、様々な犯罪やトラブルに見舞われる危険性と隣り合わせとなる状況を招いており、極めて深刻な社会問題となっている。
このような状況の中にあって、携帯電話ストラップは、前述の如き緊急時のトラブルに対し、一般ユーザー側の自衛対策、すなわち、理性の保持、冷静な判断、適切な対処行動、日常的警戒意識の習慣化等々、諸注意喚起を促す有望な媒体と成り得る潜在的な可能性を有していながら、現状においては、それが適正な形で具現化されていない。
携帯電話を介在とした犯罪やトラブルが多発する中で、この点に洞察が及ばず、半ば盲点となっている最大の原因は、携帯電話ストラップに対する人々の従前的固定観念、すなわち、落下防止や紛失防止等の携行利便性以外の目的としては、専らアクセサリージャンルの一つであるという前提認識が既成事実化している事に起因する。
しかしながら、世の中の事象は総じて表裏一体であり、この従前的固定観念から解放された瞬間、犯罪者にとって極めて便利な道具と成り得る携帯電話、逆に言うならば、一般ユーザーにとって極めて危険な道具と成り得る携帯電話を、犯罪者にとっては危険な道具へ、そして、一般ユーザーにとっては危険から身を守る道具へと逆転させる事が可能であるという示唆が与えられる。
本考案は、これら従前的固定観念から離脱する事を原点として、前述した防犯媒体としての潜在的可能性を、効果的な形態機能として具現化し、以て、個人の防犯自衛力を強化すると同時に、顕著な犯罪抑止効果を達成する為に成されたものである。
【課題を解決するための手段】
【０００４】  カード（１）の四隅付近に穴（２）を設け、穴（２）の任意の一つに、随時着脱可能なストラップ（３）を取り付ける。本考案は、以上の構成より成る事を特徴とする。
【考案の効果】
【０００５】  本考案は、以上のような構成であるから、カードの一方面、もしくは両面に、文字、記号、イラスト、写真、色彩、模様、素材等の、二次元的ビジュアル要素を用いた防犯対策手段、また、人為的外力、あるいは、自然外力によるカードストラップの揺らぎ、軌道、形状変化等の、三次元的ビジュアル要素を用いた防犯対策手段、さらに、両手段の融合による複合ビジュアル要素を用いた防犯対策手段を講ずる事ができる。
すなわち、これら各要素の記述表現、構成表現、視覚表現、組み合わせ表現等による顕在意識上の直接効果、及び、これら各表現の応用により生じる、サブリミナル効果、プラシーボ効果、ピグマリオン効果等による潜在意識下の心理誘導等による間接効果を用いた手段によって、目的とする犯罪に対する防犯効果を得る為に意図した表現要素をカードストラップに適宜施行の上、携帯電話に装着して常時携行する事が可能となる。
これにより、本考案を装着した携帯電話の所持者は、当該携帯電話使用時及び携行時のいずれにおいても、必然的かつ継続的に、意図されたメッセージが送られ続ける事となり、結果、突発的なトラブルに対する日常的警戒態勢の習慣化が促されると同時に、動揺への耐性力が強化され、緊急時における理性の保持、及び、冷静な判断、並びに、速やかで適切な対処行動を取る事ができるようになる。
【図面の簡単な説明】
【０００６】
【図１】  本考案の斜視図である。
【図２】  本考案を折畳式携帯電話に挟み込んで保持収納した状態の斜視図である。
【考案を実施するための形態】
【０００７】  以下、本考案を実施する為の形態について説明する。
耐水、耐折、耐摩耗処理、及び、表面平滑処理を施した、おおむね名刺サイズの方形カード（１）の四隅付近に、直径数ミリ程度の円形状の穴（２）を設け、当該穴（２）の任意の一つに、カニカン等の着脱機能を有するストラップ（３）を取り付ける。
本考案は、以上のような基本構造により構成される事を特徴とする。
これを、携帯電話の主流大勢である折り畳み方式で装着使用する際は、カード（１）のオモテ面が使用者に対して正面側を向くように携帯電話（４）へ挟み込まれた状態において、当該携帯電話（４）に設けられたストラップ取り付け口と、最も近距離にあるカード（１）の穴（２）とをストラップ（３）によって連結する。
この結果、カード（１）を携帯電話（４）に挟み込んだ状態で保持収納する事が可能となる為、携行利便性は極めて良好となり、また、発着信時において、携帯電話（４）をオープンにした場合、摩擦抵抗を抑えるべく表面平滑処理を施したカード（１）は、携帯電話（４）の僅かな傾斜によって、自動的にキーボード面からサイドスライドし、キー操作や通話の妨げになる事も、ディスプレイを遮ったりする事も一切ない。
さらに、携帯電話（４）のストラップ取り付け口が上部左、上部右、下部左、下部右のいずれの位置に存在している場合でも、カード（１）の四隅にある穴（２）のうち、ストラップ取り付け口と最も近い位置にある穴（２）に対し、ストラップ（３）を最短距離で結べる為、携帯電話（４）の開閉性、操作性、美観性等が損なわれる事はなく、かつ、これら機能形態の汎用性が、機種変更によって失われる事もない。
尚、ほぼ全ての日本国民が携帯電話を所持している現状においては、携帯電話を介在しない犯罪や事故、災害等への対策手段としても、本考案の応用範囲は極めて広い。
【符号の説明】
【０００８】  １  カード
２  穴
３  ストラップ
４  携帯電話
【図１】
0003158004.tif 000003
【図２】
0003158004.tif 000004
(57)【要約】【課題】  木造建築物の軸組間に配置され壁面構造に使用される壁パネルに関し、軸組材で構成する開口部に嵌め込んだときに生じる隙間を埋めるための充填剤の注入口を備えた壁パネルを提供する。【解決手段】  壁パネルは、木造建築物の軸組間に配置され壁面構造に使用される壁パネルであって、方形枠状の外周フレームを有して芯材を組み付けてなる枠体１とこの枠体１に張り付けられた面材２とから成り、軸組材で構成する開口部に嵌め込んだときに生じる隙間を埋めるための充填剤の注入口となり得る切欠き溝３を、該壁パネルの室内側周縁部に形成したことを特徴とした。【選択図】図１
0003158008.tif 000002
【実用新案登録請求の範囲】
【請求項１】
木造建築物の軸組間に配置され壁面構造に使用される壁パネルであって、方形枠状の外周フレームを有して芯材を組み付けてなる枠体とこの枠体に張り付けられた面材とから成り、軸組材で構成する開口部に嵌め込んだときに生じる隙間を埋めるための充填剤の注入口となり得る切欠き溝を、該壁パネルの室内側周縁部に形成したことを特徴とする壁パネル。
【考案の詳細な説明】
【技術分野】
【０００１】  本考案は、木造建築物の軸組間に配置され壁面構造に使用される壁パネルに関する。
【背景技術】
【０００２】  従来より、建物の壁面構造を向上させるために様々な提案がなされている。耐震強化を目的とした壁パネルの取り付けもその一つで、木造建築物の軸組間に配置する壁パネルは、近年、広く普及し使用されている。
【考案の概要】
【考案が解決しようとする課題】
【０００３】  しかしながら、木造建築物の軸組間に配置され壁面構造に使用される壁パネルに於いては、軸組材で構成する開口部に嵌め込んで取り付けした際、該壁パネル周縁に若干の隙間が生じる問題点を有していた。【０００４】本考案は、上記従来有する問題点に鑑み、木造建築物の軸組間に配置され壁面構造に使用される壁パネルに関し、軸組材で構成する開口部に嵌め込んだときに生じる隙間を埋めるための充填剤の注入口を備えた壁パネルを提供しようとするものである。
【課題を解決するための手段】
【０００５】  本考案の壁パネルは、木造建築物の軸組間に配置され壁面構造に使用される壁パネルであって、方形枠状の外周フレームを有して芯材を組み付けてなる枠体１とこの枠体１に張り付けられた面材２とから成り、軸組材で構成する開口部に嵌め込んだときに生じる隙間を埋めるための充填剤の注入口となり得る切欠き溝３を、該壁パネルの室内側周縁部に形成したことを特徴とした。
【考案の効果】
【０００６】  本考案によれば、軸組材で構成する開口部に嵌め込んだときに生じる隙間を埋めるための充填剤の注入口となり得る切欠き溝を、該壁パネルの室内側周縁部に形成したことから、前述の充填剤の注入が容易にでき、気密性の向上につながるものである。
【図面の簡単な説明】
【０００７】
【図１】  本考案に於ける壁パネルの背面図である。
【図２】  図１のＡ−Ｂ矢視断面図である。
【考案を実施するための形態】
【０００８】  以下、本考案の実施の形態について、図面を参照して説明する。
図１および図２に示すように、本考案の壁パネルは、木造建築物の軸組間に配置され壁面構造に使用される壁パネルであって、方形枠状の外周フレームを有して芯材を組み付けてなる枠体１とこの枠体１に張り付けられた面材２とから成り、軸組材で構成する開口部に嵌め込んだときに生じる隙間を埋めるための充填剤の注入口となり得る切欠き溝３を、該壁パネルの室内側周縁部に形成した。
【符号の説明】
【０００９】    １    枠体
２    面材
３    切欠き溝
【図１】
0003158008.tif 000003
【図２】
0003158008.tif 000004
(57)【要約】【課題】レモン果実採取を行う作業において枝先や高所に結果実している場合は、片手ではなり枝を引き寄せるだけで、反対側手の採果は果実を落下させない様つかみ、緒を切断する採果チャック鋏が必要である、なり緒樹木部の太細硬軟に確実対応し堅牢コンパクト型として提供することである。【解決手段】レモン果実採取に果実落下防止つかみ装置を備えた鋏であって切断に曲がり刃、となり緒をつかむつかみ強度可変チャックからなることを特徴とする採果鋏【選択図】図１
0003158003.tif 000002
【実用新案登録請求の範囲】
【請求項１】
レモン果実採取に片手のみで使用できる鋏であって曲がり刃に実のなり緒をつかむチャック部を備えたことを特徴とする採果チャック鋏
【請求項２】
前記採果チャック鋏は曲がり刃に力加減をして実のなり緒をつかむ強度可変チャック部からなり片手で採果し、手元に於いて前記曲がり刃部でなり緒を短く切り仕上げることが出来ることを特徴とする請求項１に記載の採果チャック鋏。
【考案の詳細な説明】
【技術分野】
【０００１】本考案はレモン果実採取の道具鋏に関する
【背景技術】
【０００２】従来においてはレモン果実の採取を行う作業では  図３に示すように片手で果実をつかみ反対側の手に持った鋏で緒を切断して採取している、結果実場所が高所や枝先の場合は片手で成り枝を引き寄せ固定し更に果実を落下させない様につかみ反対側に持った鋏で緒を切断採取している、これは姿勢不安定で危険と非能率である。
【先行技術文献】
【特許文献】
【０００３】
【特許文献１】実登録３０６５１２２号
【考案の概要】
【考案が解決しようとする課題】
【０００４】前記実登録３０６５１２２号は剪定鋏に落下防止用の紐を備え鋏自体が手からの落下防止を考案したものである、本考案はレモン果実採取を行う作業において枝先や高所に結果している場合は、片手では成り枝を引き寄せ固定するだけで、片手側の採果は果実を落下しない様つかみ緒を切断する採果チャック鋏が必要である、さらになり緒樹木部には太細硬軟が有りこれらを確実につかみ切断する堅牢コンパクト型として提供することである。
【課題を解決するための手段】
【０００５】本考案は
（１）レモン果実採取に果実落下防止つかみ装置を備えた鋏であって刃となり緒をつかむチャックからなることを特徴とする採果鋏
（２）前記刃は反り曲がっており弦の部分にチャックを備え一体作動することを特徴とする
（３）チャック部は、はさみ強度可変型で握り柄部の切断動作と合わせてつかみ操作加減ができる構造である
【考案の効果】
【０００６】レモン果実採取作業をおこなう時枝先や高所に結果実している場合は梯子や脚立を使用し、なり枝や樹幹を片手で引き寄せと固定しさらに果実をつかみ落下防止を確認して、反対側の手の鋏で切断採果していた、これは姿勢不安定で危険と極めて非能率であった、鋏自体につかみ機能を持たせた採果チャック鋏を使用することで果実を手でつかむ必要が無くなり、先の片手は樹幹や枝に固定でき安全能率的である、なり緒樹木部には太細硬軟ありこれらをつかみ強度を加減しながら確実につかみ切断採取することができるそして手元で曲がり刃部を用いてなり緒の仕上切りができる
【図面の簡単な説明】
【０００７】
【図１】本考案の実施例を示す構造図
【図２】ａのＡ−Ａ線におけるｂ断面図
【図３】従来の採取方法を示す説明図
【考案を実施するための形態】
【０００８】図１おける  果実のなり緒１  にチャック２  をあてがい  柄４  を握ることで  曲がり刃３  でなり緒を切断する同時にチャック２  でなり緒を挟み固定
柄４を緩めると  拡げスプリング５  発条効果が作用して果実のなり緒から解放される。
【０００９】図２における  曲がり刃３  を果実のなり緒１  に沿わすことで果実自体に傷つけること無くなり緒の短仕上げ切ができる
【符号の説明】
【００１０】１．果実のなり緒
２．チャック
３．曲がり刃
４．柄
５．拡げスプリング
６  閉止帯
７  ストラップ
【図１】
0003158003.tif 000003
【図２】
0003158003.tif 000004
【図３】
0003158003.tif 000005
(57)【要約】      （修正有）【課題】使用量に適応した量の香水液を吸収しかつ長期間にわたって香りを保持し、携帯に便利な化粧香水入り袋を提供する。【解決手段】化粧用香水を湿潤した和紙２をシート状の密閉袋１に収納した携帯用化粧香水入り袋である。ハンドバックのなかで大きな嵩を取る事もなくまた長期間にわたって香りを保持するため、従来の噴霧式構造の香水容器に収納された香水と同様に髪、耳の後、肘の内側などに化粧用香水を湿潤した和紙を軽く擦り付けるだけで、香水を着けることができる。また、香水容器と異なり、人前にはばかる事もなくまた人目にも気付かないさりげない仕草で香水を手軽に着ける事ができる。【選択図】図１
0003158060.tif 000002
【実用新案登録請求の範囲】
【請求項１】
化粧用香水を湿潤した和紙をシート状の密閉袋に収納した事を特徴とする携帯用化粧香水入り袋。
【考案の詳細な説明】
【技術分野】
【０００１】  本考案は、持ち運びに便利な化粧香水入り袋に関するものである。
【背景技術】
【０００２】  化粧品は白粉や口紅などを使って顔の外見を飾って美しく見せ、魅力を増し、人の容貌を美しく変える。中でも化粧品の一種とされる香水は精油（香料）をアルコール（無水エタノール）や蒸留水に溶かしたもので、髪、耳の後、肘の内側や膝の裏側、ウェストあるいはスカートの裾や裏地に着け、アルコールの揮発性を利用して自然の香りを漂わせ、結婚式やパーティなどその場の雰囲気をさり気なく爽やかなに演出する。香水は、そもそも温度の高いところほどアルコールが揮発し易すく香りが長時間継続されない問題から、例えば特開２００４−１８１０号公報の図４で示す「押圧ピストン構造の噴霧ノズルをもつガラス質の大きな香水容器」や特開２００４−８４８０号公報の図２で示す「容器に備えた容器本体に備えた操作スイッチの操作で噴霧ノズルから香水液を噴霧しまた容器本体の底部に設けた光センサーの光検知信号で発行する発光体を備えた光る香水容器」など様々な大きさの香水噴霧式容器に収納され、外出する際には一般の化粧品と同様にハンドバックに入れられて持ち運ばれている。【０００３】  しかしながら、噴霧式構造の香水容器は、ハンドバックの中で大きな嵩を取り、仕舞い方の注意を怠ると噴霧ノズルが開口し香水液が噴出する問題があった。また香水容器から噴出された噴霧香水が、風向きによっては他人に振りかかる心配もあった。また海外出張や海外旅行する場合に、ハイジャク防止条約やテロ対策関係条約から飛行場での手荷物検査が厳しくなり、香水の容器まで制限され、手軽に持ち運べなくなった。
【特許文献１】特開２００４−１８１０号公報
【特許文献２】特開２００４−８４８０号公報
【考案の開示】
【考案が解決しようとする課題】
【０００４】  本考案は上記した問題点を解消する事を目的にしたもので、使用量に適応した量の香水液を吸収しかつ長期間にわたって香りを保持し、しかも海外出張や海外旅行するときに持ち運びに便利な化粧香水入り袋を提供するものである。
【課題を解決するための手段】
【０００５】  本考案は上記の目的を達成したもので、その要旨は、化粧用香水を湿潤した和紙をシート状の密閉袋に収納した携帯用化粧香水入り袋である。
【考案の効果】
【０００６】  上記の様な要旨の本考案の携帯用化粧香水入り袋は、ハンドバックの中で大きな嵩を取る事もなくまた長期間にわたって香りを保持するため、従来の噴霧式構造の香水容器に収納された香水と同様に髪、耳の後、肘の内側などに化粧用香水を湿潤した和紙を軽く擦り付けるだけで、香水を着ける事ができる。また本考案は、香水容器と異なり、人前にはばかる事もなくまた人目にも気付かないさりげらい仕草で香水を手軽に着ける事ができる。
【考案を実施するための最良の形態】
【０００７】  以下、本考案の携帯用化粧香水入り袋について、図面を参照しながら詳細に説明する。
第１図は本考案の一実施例を示したもので、平面図（ａ）と該平面図（ａ）のＸ−Ｘ線断面図（ｂ）を示す。図において、１は、気密性が保持されるシート状の密閉袋である。シート状の密閉袋１は、市販されるポリプロピレンやボリエチレン、アルミ箔さらにはセロファン紙などフレキシブルで優れたシール性を有するシートを上下層に重ね合わせ、その端縁を熱着や接着剤など任意な接合法あるいはその一部に開閉自在なスライドジッパーを使用するなどして密閉構造に製作される。シート状の密閉袋１の形状や大きさや構造については特に限定するものではなく、使い易さと持ち運びに便利な携帯用品から任意に選べばよい。２は化粧用香水を湿潤した和紙である。化粧用香水を湿潤した和紙２は、一枚または二枚以上に重ね合わせて化粧用香水を滲み込ませたもので、シート状の密閉袋１に封じ込める様に収納されている。和紙は、保存性と強靱性に優れまた薄くて吸湿性に富むため化粧用香水を湿潤し、一枚一枚に剥がせる特性から湿潤した香水を最後まで化粧用に利用できる利点がある。また化粧用具で使い切った和紙は、ハンドバックの片隅に隠し持つ事によって、ハンドバックを開口する毎に漂う仄かな香りを楽しむ事もできる。本考案で使用する和紙は、楮紙や三椏紙や雁皮紙などの原料から製造される如何なる和紙でも使用でき、形や大きさについてもシート状の密閉袋１に収納し易さを配慮して選べばよい。すなわち、本考案の携帯用化粧香水入り袋は、化粧用香水を湿潤した和紙２をシート状の密閉袋１内に封じ込める様に収納した香水密閉袋に製作されている。【０００８】  上記の様に構成された本考案の携帯用化粧香水入り袋は、香水を使用したいときに、シート状の密閉袋１の一端を引き裂きながら取り出した化粧用香水を湿潤した和紙２を、香水の付着個所に軽く当てがいながら、香水を塗り着けて使用する。
【産業上の利用可能性】
【０００９】  本考案の携帯用化粧香水入り袋は、従来の噴霧式構造の香水容器の問題点を解消し手軽に持ち運べる簡単なシート構造に製作されているため、特に女性が旅行や出張の際に便利な化粧用具として益々利用される可能性が高い。
【図面の簡単な説明】
【００１０】
【図１】本考案の一実施例で、平面図（ａ）と該平面図（ａ）のＸ−Ｘ線断面図（ｂ）示す。
【符号の説明】
【００１１】  １  シート状の密閉袋
２  化粧用香水を湿潤した和紙
【図１】
0003158060.tif 000003